(57)【要約】  本発明は、タイヤ機能が制限された運転操作を可能にする車輪（１）用のアタッチメント（１４）と、該アタッチメント（１４）および車輪（１）のリム（２）を含むシステムに関する。【選択図】図１５ａ
2020536790.tif 000002
【特許請求の範囲】
【請求項１】
タイヤ機能を低下させた運転操作を可能にする車輪（１）用のアタッチメント（１４）であって、
前記アタッチメント（１４）のトレッド面（１８）を含むトレッド部（１６）と、前記アタッチメント（１４）の取り付け時に、前記トレッド面（１８）から半径方向内側に配置される初期装着部（２０）と、を有し、前記初期装着部（２０）は、前記車輪（１）のリム（２）のボルト円（４）の領域で前記車輪（１）に固定され、特に前記リム（２）の前記ボルト円（４）の領域における嵌合を介して、および／または前記リム（２）の前記ボルト円（４）の領域における接続、好ましくは摩擦に基づく接続を介して、前記リム（２）の前記ボルト円（４）の領域で前記車輪（１）に固定されるように構成されている、アタッチメント（１４）。
【請求項２】
前記初期装着部（２０）は、前記リム（２）の開口部（１３）、好ましくは円形開口部とグリップ装置（２２）の嵌合および／または摩擦に基づく嵌合を介して前記車輪に固定されるように構成され、前記開口部は前記ボルト円（４）の領域に配置され、前記開口部（１３）は、ホイールボルトまたは控えボルトを受け入れるように前記リム（２）に設けられた穴（７）から離間して前記リム（２）に配置され、好ましくは、前記開口部は、前記リム（２）の中心開口部（６）であるか、または前記リム（２）の回転軸（５）から離間して配置されている、請求項１に記載のアタッチメント（１４）。
【請求項３】
前記グリップ装置（２２）が、好ましくは前記ボルト円（４）の領域の前記開口部（１３）の後ろで係合するように構成された、拡張可能部分（２４）を備えることを特徴とする、請求項１または２に記載のアタッチメント（１４）。
【請求項４】
前記グリップ装置（２２）が、圧縮状態では、前記ボルト円（４）の領域の前記開口部（１３）を通して案内されるとともに、前記開口部（１３）を通して案内されたときに、非圧縮状態に拡張するように構成された圧縮可能部分（９０）を備える、請求項１〜３のいずれか一項に記載のアタッチメント（１４）。
【請求項５】
前記初期装着部（２０）は、クランプ装置（１４０）を介して前記車輪（１）のホイールボルト（１５）に固定されるように構成され、前記クランプ装置（１４０）は、前記ホイールボルト（１５）をクランプ方式で係合してそれを把持するか、または少なくとも２つのホイールボルト（１５）をクランプ方式で一緒に係合してそれらを把持するように構成される、請求項１〜４のいずれか一項に記載のアタッチメント（１４）。
【請求項６】
前記グリップ装置（２２）の一部が、いずれの場合でも、取り外しできない方法で前記初期装着部（２０）に接続される、請求項１〜５のいずれか一項に記載のアタッチメント（１４）。
【請求項７】
前記トレッド部（１６）が、前記初期装着部（２０）から取り外しできるように構成される、請求項１〜６のいずれか一項に記載のアタッチメント（１４）。
【請求項８】
前記トレッド部（１６）が、特に固定装置（２８、３０）を介して取り外しできないように、または取り外しできるように、前記初期装着部（２０）に固定され、好ましくは、前記固定装置（２８、３０）は、前記トレッド部（１６）が、前記初期装着部（２０）への固定時に、前記リム（２）に向かって軸方向（Ａ）に移動するように構成される、請求項７に記載のアタッチメント（１４）。
【請求項９】
前記トレッド部（１６）が、作動装置（１６２）、好ましくは、空気圧および／またはばね付勢作動装置を介して、前記初期装着部（２０）に対して前記軸方向（Ａ）に移動できるように、前記初期装着部（２０）に接続されるか、または接続可能である、請求項８に記載のアタッチメント（１４）。  
【請求項１０】
前記トレッド部（１６）は、特に周方向（Ｕ）において、マルチパート形態であり、好ましくは、前記トレッド部（１６）は、特に、互いに分離可能であり、および／または互いに対して旋回可能または変位可能である少なくとも２つの周縁セグメント（３２、３４）を備える、請求項１〜９のいずれか一項に記載のアタッチメント（１４）。
【請求項１１】
前記トレッド部（１６）は、前記周方向（Ｕ）に切れ目がなく、外側部分（５６）から半径方向内側に配置された内側部分（５４）を備え、前記外側部分（５６）は、前記周方向（Ｕ）にギャップ（５８）を備えて構成され、前記外側部分（５６）は、挿入部分（６０）をさらに備え、前記アタッチメント（１４）が前記車輪（２）に取り付けられた状態にあるとき、前記外側部分（５６）が閉じた円形トレッド面（１８）を有するように、前記挿入部分（６０）が前記ギャップ（５８）に収容される、請求項１〜６のいずれか一項に記載のアタッチメント（１４）。
【請求項１２】
前記トレッド部（１６）は、少なくとも１つ、好ましくは複数の支持手段（４０）を備え、前記支持手段（４０）は、前記車輪（１）の前記リム（２）の部分（１０、１１）、特にリムフランジ（１０）の後ろでフック部分（４２）に係合するように構成される、請求項１〜１１のいずれか一項に記載のアタッチメント（１４）。
【請求項１３】
前記アタッチメント（１４）が、接触部分（５０）を有する支持機構（５２）を備え、前記接触部分（５０）は、前記接触部分（５０）が作動され、特に圧力を受けたときに、前記支持手段（４０）を作動させ、かつ前記リム（２）の前記部分（１０、１１）、好ましくはリムフランジ（１０）の後ろで前記フック部分（４２）を係合させるように構成される、請求項１２に記載のアタッチメント（１４）。  
【請求項１４】
前記アタッチメント（１４）が前記車輪（１）に取り付けられ、前記車輪（１）が回転して前記接触部分（５０）を作動させ、特に圧力を加えたときに、前記支持機構（５２）は前記路面（Ｆ）を前記接触部分（５０）と接触させるように構成され、好ましくは、前記接触部分（５０）は、特に軸方向に見たときに、空間的に前記アタッチメント（１４）の前記トレッド面（１８）に配置され、好ましくは、展開状態の前記接触部分（５０）は、前記アタッチメント（１４）の前記トレッド面（１８）と同一平面で前記周方向（Ｕ）に延びる、請求項１３に記載のアタッチメント（１４）。
【請求項１５】
前記トレッド部（１６）が前記初期装着部（２０）に固定されたときに、または、前記初期装着部（２０）に固定された状態で前記初期装着部（２０）に向かって移動されるときに、前記支持機構（５２）は、前記車輪（１）、特に前記リム（２）または前記初期装着部（２０）を前記接触部分（５０）と接触させて、前記接触部分（５０）を作動させ、特に圧力を加えるように構成され、好ましくは、前記接触部分（５０）は前記リム（２）に面する前記アタッチメント（１４）の側に配置される、請求項１３に記載のアタッチメント（１４）。
【請求項１６】
前記軸方向（Ａ）に見たときに、前記支持手段（４０）の前記フック部分（４２）は半径方向内側に、好ましくは直線状または弓状に傾斜するように構成され、前記支持手段（４０）が作動され、前記支持手段（４０）が前記リム（２）、特に前記リムフランジ（１０）に向かって移動するときに、前記フック部分（４２）は、半径方向内側に移動する、特に変位するとともに、前記トレッド部（１６）は、前記フック部分（４２）の移動の結果として、前記リム（２）に向かって前記軸方向（Ａ）に付勢されるように、構成される、請求項１〜１５のいずれか一項に記載のアタッチメント（１４）。
【請求項１７】
前記アタッチメント（１４）は、支持手段ロック装置（２０４）を備え、前記支持手段ロック装置（２０４）は、固定位置（ＳＰ）に移動することができ、かつ、前記固定位置（ＳＰ）において、前記支持手段ロック装置が前記固定位置（ＳＰ）にある限り、前記フック部分（４２）が前記車輪（１）の前記リム（２）の前記部分（１０、１１）の後ろでの係合から外れて移動できないように、特に嵌合ロックによって前記支持手段（４０）をロックするように構成される、請求項１２から１６のいずれか一項に記載のアタッチメント（１４）。
【請求項１８】
前記支持手段ロック装置（２０４）は、前記支持手段ロック装置（２０４）が前記固定位置（ＳＰ）へ移動されるときに、前記支持手段（４０）の前記フック部分（４２）をさらに支持するように前記支持手段（４０）に対して配置され、かつ構成され、前記支持手段（４０）は、前記リム（２）の前記部分（１０、１１）を背にして、前記リム（２）の前記部分（１０、１１）の後ろで係合する、請求項１７に記載のアタッチメント。
【請求項１９】
アタッチメント（１４）と、車輪（１）のリム（２）と、を備えるシステムであって、
前記アタッチメント（１４）は、請求項１〜１８のいずれか１項に記載のように構成され、前記リム（２）は、ボルト円（４）の領域の前記リム（２）に配置された少なくとも１つの開口部（１３）、好ましくは、複数の開口部（１３）を備え、前記開口部（１３）は、ホイールボルトまたは控えボルトを受け入れるために設けられた穴（７）から、好ましくは前記リム（２）の中心開口部（６）からも離間して配置されている、システム。
【請求項２０】
前記開口部（１３）の中間点（９９）は、円（１００）から離間して、好ましくは半径方向外側に離間して配置され、前記円（１００）は、前記ホイールボルトまたは控えボルトを受け入れるために設けられた穴（７）の中間点を通って延び、および／または、前記開口部（１３）の中間点（９９）は、前記ホイールボルトまたは控えボルトを受け入れるために設けられたすべての穴（７）を囲む最小の円を形成する円（１０２）から離間して、好ましくは半径方向内側に離間して配置されている、請求項１９に記載のシステム。
【発明の詳細な説明】
【技術分野】
【０００１】
本発明は、請求項１の前文に記載の、タイヤ機能を低下させた運転操作を可能にする車輪用アタッチメントに関する。
【０００２】
さらに、本発明は、それとは独立して、車輪のアタッチメントおよびリムを備えるシステムに関する。
【背景技術】
【０００３】
車輪は、自動車の車輪を意味する。ここで、タイヤ機能を低下させた運転操作とは、通常の路面状況や通常のタイヤ状況下でタイヤが発揮する特性で運転できない運転操作を意味する。これは、例えば、パンクしたタイヤでの運転や、氷や雪の状態での車両の操作を意味し得る。本発明の好ましい適用分野は、パンクしたタイヤでの運転を可能にすることである。
【０００４】
この場合、軸方向は、車輪の回転軸の方向を意味する。ラジアル方向とは、車輪の回転軸に直交する方向をいう。したがって、車輪のタイヤは、車輪のリムから見て半径方向外側に配置される。例えば、車輪の中央開口部を備えたリムのボルト円は、半径方向内側に配置され、車輪のボルト円は、この場合、ホイールボルト、または固定ボルト（中央開口部等）を受け入れるために設けられたリムの穴の配置を意味する。周方向とは、車輪の外周に沿った方向、つまりトレッド面に沿った方向を意味する。
【０００５】
本発明の目的は、簡単かつ確実に取り付けることができる車輪用のアタッチメントを提供することであり、特に、アタッチメントは、誤った取り付けを防止することである。さらなる目的は、アタッチメントおよびリムを備えるシステムを提供することであり、これにより、シンプルかつ確実な方法で、アタッチメントをリムに取り付けることができる。
【０００６】
この目的は、請求項１に記載のアタッチメントによって達成される。さらなる目的は、請求項１７に記載のシステムによって達成される。本発明によるアタッチメントは、タイヤ機能を低下させて運転操作を可能にする車輪用のアタッチメントであり、アタッチメントのトレッド面を含むトレッド部を有し、アタッチメントの取り付け時に、トレッド面から半径方向内側に配置される初期装着部を有する。ここで、初期装着部は、車輪のリムのボルト円の領域で車輪に固定され、特に、リムのボルト円の領域での嵌合により、および／または、接続、好ましくは摩擦に基づく接続により、リムのボルト円の領域で車輪に固定されるように構成される。
【０００７】
したがって、本発明によるアタッチメントにより、リムのボルト円の領域で初期装着部を固定することが可能である。以下でより詳細に説明するように、トレッド部は、初期装着部から取り外し可能に構成することができる。取り外し可能であることに加えて、またはその代わりに、トレッド部は、変位可能および／または旋回可能に初期装着部に接続することもできる。
【０００８】
取り付け時に、最初のステップで、アタッチメントは、初期装着部によって上記の方法で車輪のリムに固定することができる。オプションとして、アタッチメント、特にトレッド部は、別の方法で車輪または車輪のリムにさらに固定することができる。
【０００９】
必要に応じて、初期装着部は、グリップ装置とリムの開口部、特に円形開口部の摩擦ベース係合および／または嵌合を介して固定され、開口部は、ボルト円の領域に配置され、開口部は、リムに設けられ、ホイールまたは控えボルトを受け入れるためにリムに設けられた穴から離間して配置され、好ましくは、開口部は、リムの中央開口部であるか、またはリムの回転軸から離間している。いずれにしても、「ボルト円の領域に配置された」とは、開口部がリムのスポーク間のギャップとは異なることも意味する。そのような開口部は、特にいわゆるポリコントロールボアであり得る。
【００１０】
グリップ装置は、特にそれがリムの中央開口部に係合するように構成されている場合、例えば、スロット付きスリーブの形態とすることができる。スロット付きスリーブの内側には、半径方向の範囲が変化する要素、特にスロット付きスリーブに対して軸方向に移動可能な円錐要素を配置することができる。該要素の軸方向の動きにより、スロット付きスリーブは、中央開口部で摩擦に基づいて係合するように広げることができる。該要素は、例えば、ねじを介して展開スリーブに対して軸方向に移動可能であり得る。要素は、例えば、ねじを介して展開スリーブに対して軸方向に移動可能であり得る。ここで、スロット付きスリーブは、複数の展開可能なアームを意味することもできる。
【００１１】
必要に応じて、グリップ装置は、初期装着部の一部として構成される。換言すれば、着脱不能に初期装着部に接続することができる。
【００１２】
グリップ装置は、フック領域を含むことができる延長部、特にロッド状の延長部の形態とすることができ、延長部は開口部に挿入されるように構成される。フック領域は、例えば、拡張可能または展開可能であるように構成され得、その結果、それが開口部を通して案内されたとき、それは、嵌合によってリムの後ろに係合することができる。
【００１３】
フック領域は、圧縮可能に構成することもできる。次に、フック領域は、開口部を通って案内されるときに直径を小さくすることができ、開口部を通って案内されたときに自動的に広がるので、リムの後ろでほぼ自動的に係合することができる。この目的のために、フック領域は、例えば、可逆的に圧縮可能であり、弾性的であり、および／またはばねで取り付けられるように構成され得る。
【００１４】
一実施形態では、グリップ装置は、ボルト円の領域の開口部の後ろに係合するように構成された拡張可能な部分を含む。このような拡張可能な部分は、例えば、拡張可能に構成されるフック領域によって形成され得る。例えば、グリップ装置は、互いに離れるように移動する２つのフックアームを備えることができ、したがって、例えば、ねじなどの拡張要素をねじ込むことによって拡張することができる。
【００１５】
グリップ装置は、特に、中空ロッドの形態とすることもでき、その場合、軸方向への移動により拡張可能部分を広げる拡張要素、特にフレアロッドを内側に備えることができる。複数のグリップ装置が、初期装着部に配置されることが好ましい。グリップ装置が、例えば、上記のような中空ロッドの形態である場合、任意で存在するフレアロッドまたは拡張要素は、一緒に接続することができ、拡張可能な部分を広げるために、例えば、作動ユニット（例えば、ねじの形態）によって軸方向に一緒に移動させることができる。
【００１６】
作動部分には、例えば、ランプ状の高さで走る円形セグメントの形状を有するスロットを設けることができる。作動部分の回転により、拡張要素は、ランプ状の高さに沿ってスライドすることによりグリップ装置内に移動し、それにより、グリップ装置は拡張される。作動部分の回転は、例えば対応するハンドルを介して手動で行うことができる。
【００１７】
作動部分は、一般に、初期装着部の残りの部分に対する作動部分の動きによって、拡張要素の動きをもたらすことができるように構成することができる。
【００１８】
必要に応じて、初期装着部は、クランプ装置を介して車輪のホイールボルトに固定されるように構成され、クランプ装置は、締め付け方式でホイールボルトに係合し、それを把持するか、またはホイールボルトのうち少なくとも２つ、好ましくはすべてと一緒に係合し、それらを把持するように構成される。
【００１９】
クランプ装置がホイールボルトにクランプ方式で係合してそれを把持するように構成されている場合、クランプ装置は、例えば半径が調整可能なスリーブ、ホイールボルト、またはそれぞれ個別に複数のホイールボルトを介して係合し、把持するように構成できる。半径が調整可能なスリーブは、ここでは、クランプ装置の形態の一例にすぎない。調整可能な半径のスリーブをホイールボルトのボルトヘッドに配置し、スリーブの半径を小さくして、ホイールボルトを把持することができる。このような半径の調整可能性は、例えば、スリーブのスロットによって達成することができ、スロットによって離間されたスリーブの個々の部分は、互いに向かって移動または曲げることができ、いわば旋回可能または曲げ可能なアームを形成する。クランプ装置が単一のホイールボルトにクランプ方式で係合してそれを把持するように構成されている場合は、ホイールボルトのヘッドの開口部に挿入され、その開口部で広がるように構成されているため、開口部で詰まる可能性がある。単一のホイールボルトに係合してそれを把持する、先に説明したクランプ装置の１つを、各ホイールボルトに取り付けることができる。
【００２０】
クランプ装置が少なくとも２つのホイールボルトを締め付け方式で一緒に係合してそれらを把持するように構成されている場合、クランプ装置は、例えば調整可能な半径のスリーブを介して複数のホイールボルトを一緒に係合してそれらを把持するように構成することができる。半径が調整可能なスリーブは、ここでは、クランプ装置の形態の一例にすぎない。半径が調整可能なスリーブは、通常、幅が広いため、すべてのホイールボルトのボルト頭に取り付けることができ、スリーブの半径を小さくして、ホイールボルトを把持することができる。次に、スリーブがホイールボルトの半径方向外側にクランプする。クランプ装置はまた、ホイールボルトの間に配置され、次に半径方向内側からホイールボルトに接触するように広げられ、このようにしてホイールボルトの間に詰まるか、またはそれらを係合し、それらを把持する拡張可能要素を備えることもできる。クランプ装置はまた、少なくとも２つの締結要素を含むことができるが、好ましくは各ホイールボルトに対して１つの締結要素を含む。締結要素は、ホイールボルトのヘッドの開口部に挿入されるように構成することができる。締結要素をホイールボルトの頭部に配置されるように構成することも可能であり、ボルト頭部を受け入れる締結要素の部分は、ホイールボルトのヘッドの外側の輪郭（通常は六角形）と相補的であるように構成することができるか、またはボルトヘッドを受け入れる締結要素の部分は、ねじヘッドに対する締結要素の回転を防止するために、その内側に長手方向の溝がある。クランプ装置は、少なくとも２つの締結要素、好ましくはすべての締結要素を、それらがホイールボルトの頭に配置されるか、またはホイールボルトのヘッドの開口部に挿入されると、互いに向かって、または互いに離れるように曲げるように構成される曲げ装置を備えることができる。締結要素を互いに向かって、または互いに離れてこのように曲げることによって、締結要素は互いに支えられる。その結果、クランプ装置は、ホイールボルトを一緒に締め付け方式で係合し、それらを締め付け方式で把持する。
【００２１】
曲げ装置は、例えば、ねじによって、初期装着部に対して軸方向に移動可能であり、初期装着部に向かって、またはそこから離れるように軸方向に移動すると、締結要素を互いに向かって、または互いに離れるように曲げるように構成できる。これは、例えば、曲げ装置の斜面を介して達成することができる。曲げ装置がテンションリングの形態であることも考えられる。曲げ装置は、ばねを介して初期装着部に向かって、またはそれから離れるように付勢され、ばねの付勢方向とは逆にねじを介して動かすことができると考えられる。
【００２２】
曲げ装置はまた、円形経路から全体的に逸脱する弓状スロットを有する板状要素を含むことができる。このタイプの曲げ装置は、締結要素がスロットを通って延びるように、スロットと共に配置することができる。次に、曲げ装置の回転は、スロットが全体的に円形経路から逸れる方向に応じて、互いに離れるように、または互いに向かって曲げられる締結要素につながる。
【００２３】
既に上述したように、トレッド部は、オプションとして、初期装着部から取り外し可能であるように構成される。次に、初期装着部を車輪のリムに固定することができ、その後、トレッド部を初期装着部に固定することができる。それにより、トレッド部が、好ましくは、トレッド部が初期装着部に固定されたときにボルト円の領域を超えて延びる接続部分を有し、この接続部分は軸方向に見て初期装着部と重なり合うように構成される場合が好ましい。その結果、例えば、ねじ止めによってトレッド部を初期装着部に簡単な方法で接続することができる。
【００２４】
トレッド部が、軸方向に変位可能および／または旋回可能であるように、取り付け部分に接続されることも考えられる。次に、初期装着部を車輪のリムに固定することができ、その後、トレッド部をリムに向かって押すおよび／または旋回させることができる。好ましくは、それは次いで、取り付け部分に対して固定またはロックされ得る。
【００２５】
必要に応じて、トレッド部は、特に取り外し可能な方法で固定することができ、または固定装置を介して初期装着部に取り外し不可能な方法で固定され、この固定装置は、初期装着部に固定されると、トレッド部がリムに向かって軸方向に移動するように構成される。例えば、締結装置は、ウェブ状のストラットおよびねじの形態とすることができ、ストラットは、トレッド部に設けられ、例えば、初期装着部にねじ込むことができるねじを受け入れるための開口部を有する。したがって、トレッド部は初期装着部にねじ込むことができ、ねじを締めると、トレッド部はリムに向かって移動する。
【００２６】
必要に応じて、トレッド部は、作動装置、好ましくは空気圧および／またはばね付勢作動装置を介して初期装着部に対して軸方向に移動可能であるように、初期装着部に接続されるか、または接続され得る。このような可動性は、以下に説明するように、特にリムに面するトレッド部の接触部分と組み合わせて有利である。特に、トレッド部が軸方向の並進によって初期装着部に向かって移動可能である場合に有利である。例えば、作動装置は、初期装着部に対してトレッド部を移動させるために圧力媒体を加えることができる圧力シリンダーの形にすることができる。
【００２７】
必要に応じて、トレッド部は、特に周方向の、マルチパート形態であり、好ましくは、トレッド部は、特に、互いに分離可能であり、かつ／または互いに対して旋回可能または変位可能である少なくとも２つの周縁セグメントを備える。これにより、アタッチメントの車輪への取り付けが容易になる。
【００２８】
トレッド部が、好ましくは１８０°を超える、特に１９０°を超える周縁範囲を有する第１の周縁セグメントと、第２の周縁セグメントを含む場合も、本発明の意味の範囲内である。ここで、第２の周縁セグメントは、第１の周縁セグメントに取り外し可能または旋回可能または変位可能に接続されている。これにより、アタッチメントを車輪に特に簡単に取り付けることができる。取り付け時には、例えば、初期装着部を最初に車輪に固定することができる。次に、トレッド部、またはトレッド部の周縁セグメントを、初期装着部に固定することができる。例えば、２つのセグメントが互いに対して回転可能である場合、取り付け時に、第１の周縁セグメントが車輪または初期装着部に取り付けられている場合、第２の周縁セグメントは、最初は第１の周縁セグメント上で回転したままになり得；したがって、車輪は、第１の周縁セグメントがそのトレッド面を路面に接触するように移動することができる。次に、第２の周縁セグメントを容易に上方に旋回させ、好ましくはロック機構を介して、意図された動作位置にロックすることができる。
【００２９】
必要に応じて、第２の周縁セグメントは、整列装置、好ましくは旋回可能な形態の位置合わせ装置を介して、第１の周縁セグメントに対して整列することができる。この整列装置は、上述のロック装置を形成することができる。
【００３０】
１８０°を超える、または１９０°を超える第１の周縁セグメントの周辺範囲は、第１の周縁セグメントが周辺方向のアタッチメントの主要部分を形成し、したがって、簡単な方法で車輪に安定してしっかりと取り付けることができるという利点を有する。特に、第１の周縁セグメントは、弓形の形状であり得、好ましくは、弦のように延びるストラットを備える。これにより、特に高い安定性と、アタッチメントの車輪への簡単な取り付けが達成される。第１の周縁セグメントおよび第２の周縁セグメントを有するそのようなアタッチメントはまた、リムに面して配置される接触部分を備えることができる。
【００３１】
必要に応じて、トレッド部は、周囲方向に切れ目がなく、外側部分から半径方向内側に配置される内側部分を含むことができ、外側部分は、周囲方向にギャップを有して構成され、外側部分は、挿入部分をさらに含む。アタッチメントが車輪に取り付けられた状態にあるときに、外側部分が、閉じた円形のトレッド面を有するようにギャップに収容される。外側部分に周方向の隙間があるため、車両から車輪を外したり、カージャッキで車両を持ち上げたりすることなく、初期装着部やトレッド部を挿入部分なしで車輪に嵌合させることができる。この目的のために、例えば、上述の方法の１つで、初期装着部を車輪に固定することができる。次に、トレッド部の外側部分のギャップが地面に向けられ、トレッド部が初期装着部に固定される。初期装着部とトレッド部を車輪に取り付けた状態で、車両を少し動かすことができる。次に、車輪が回転した結果、ギャップが路面の方向から離れる。例えば、車輪を半回転させると、車両を前方に移動させることができる。この場合、ギャップは路面の方向を向いておらず、上方を向いている。次に、挿入部分をギャップに挿入または収容することができる。その場合、アタッチメントは周方向に閉じた円形のトレッド面を持っている。これで、アタッチメントの取り付けが完了する。または、アタッチメントは、追加の手段（例えば、ブレース手段）を介して車輪にさらに固定できる。
【００３２】
必要に応じて、トレッド部は、車輪のリムの一部、特にリムフランジの後ろのフック部分と係合するように構成された少なくとも１つ、好ましくは複数の支持手段を備える。これにより、トレッド部を車輪に特にしっかりと固定することができる。
【００３３】
必要に応じて、アタッチメントは、接触部分を有する支持機構を備える。接触部分は、それが作動したとき、特に圧力を受けたときに、支持手段を作動させ、フック部分をリムの部分、好ましくはリムフランジの後ろで係合させるように構成される。これにより、リムフランジの後ろの係合を簡単な方法で行うことができる。
必要に応じて、支持機構は、アタッチメントが車輪に取り付けられ、車輪が回転しているときに、路面を接触部分と接触させ、それによって接触部分を作動させる、特にそれに圧力をかけるように構成される。好ましくは、接触部分は、特に軸方向に見たときに、アタッチメントのトレッド面に空間的に配置され、好ましくは、接触部分は、展開状態では、アタッチメントのトレッド面と同一平面で周方向に延びる。アタッチメントが取り付けられた状態で車輪を回すことにより、支持手段の作動、したがってリムフランジの後ろの係合が確保される。
接触部分は、フリーホイール装置を有する圧力伝達装置を介して支持手段に接続することができる。フリーホイール装置は、支持手段がさらに移動することなく、接触部分が移動できるように構成されている。したがって、支持手段が十分に移動されたとき、または意図された位置に移動されたときに、接触部分が支持手段に圧力をかけ続けないことが防止される。
【００３４】
フリーホイール装置の有無にかかわらず圧力伝達手段はまた、保持機構を備えることができる。保持機構は、接触部分がもはや圧力を受けないときに、支持手段がリムの部分、またはリムフランジの後ろの係合から外れるのを防ぐように構成される。
【００３５】
支持機構は、トレッド部が初期装着部に固定されているときに車輪、特にリム、または初期装着部を接触部分と接触させ、それによって接触部分を作動させ、特にそれに圧力をかけるように構成することができる。好ましくは、接触部分は、リムに面するアタッチメントの側に配置される。
【００３６】
必要に応じて、軸方向から見たとき、支持手段のフック部分は、半径方向内側に、好ましくは直線状または弓状に傾斜するように構成され、支持手段は、その支持手段が作動し、支持手段がリムに向かって、特にリムフランジに向かって移動すると、半径方向内側にフック部分が移動する、特に変位するように構成される。フック部分の移動の結果としてトレッド部がリムに向かって軸方向に付勢される。その結果、支持手段がリムフランジの後ろに係合すると、トレッド部がリムに向かって引っ張られ、トレッド部の特に確実な固定が保証される。
【００３７】
必要に応じて、アタッチメントは、アタッチメントの取り付け時および／またはトレッド部の初期装着部への固定時および／または支持手段の作動時に、タイヤをリムフランジから離れて軸方向に変位させるように構成されたタイヤ変位装置を備える。それにより、支持手段はリムフランジに自由にアクセスできる。
【００３８】
必要に応じて、タイヤ変位装置は、支持手段とは別に構成される。タイヤ変位装置が、支持手段または支持手段の一部によって形成されるか、またはそれを含むことも考えられる。
【００３９】
必要に応じて、アタッチメントは、支持手段ロック装置を備え、該支持手段ロック装置は、固定位置に移動することができ、固定位置で、支持手段を特に嵌合によってロックするように構成される。それにより、支持手段ロック装置が固定位置にある限り、フック部分が車輪のリムの部分の後ろの係合から外れないようになる。
【００４０】
必要に応じて、支持手段ロック装置は、支持手段に対して構成および配置されており、支持手段ロック装置が固定位置に移動すると、リムの部分を背にして、リムの部分の後ろで係合している支持手段のフック部分をさらに支持する。
【００４１】
支持手段ロック装置が、支持手段の一部、好ましくは突起状の、特にピン状の部分の後ろに係合し、それに圧力をかけるように構成および配置される可動支持面を有することが好ましい。それにより、支持手段ロック装置が固定位置に移動したときに、支持手段のフック部分が車輪のリムの部分の後ろの係合位置に付勢されるか、またはその係合位置で支持されるようになる。
【００４２】
好ましくは、支持手段ロック装置は、作動部分が作動されたとき、特に圧力を受けたときに、支持手段ロック装置が固定位置に移動されるように、作動部分と結合される。
【００４３】
好ましくは、作動部分は、トレッド面に配置される。
【００４４】
好ましくは、作動部分は、ゴム材料から作られるか、またはゴム材料を含む接触面を有する。好ましくは、接触面は、トレッド面に配置され、路面との接触時に、路面と面一に延びるように摩耗するように構成される。
【００４５】
支持手段、支持機構および支持手段ロック装置は、様々な形態で上記に説明されてきた。これらの形態は、前述の本発明によるアタッチメントの実施形態に関する。
【００４６】
独立した発明は、トレッド面を備えたベース本体を有するアタッチメントでもあり、アタッチメントは、前述の支持手段の１つまたは複数の実施形態、特に、支持機構の１つまたは複数の実施形態、好ましくは１つまたは複数の実施形態の支持手段ロック装置をさらに含む。したがって、そのようなアタッチメントは、前述の実施形態のトレッド部および初期装着部を必ずしも含む必要はない。特に、独立した発明は、トレッド面を備えたベース本体を有するアタッチメントであり、アタッチメントは、車輪のリムの一部、特にリムフランジの後ろのフック部分と係合するように構成された、１つ、好ましくは複数の支持手段を備える。好ましくは、アタッチメントは、接触部分を有する支持機構を備える。接触部分は、それが作動され、特に圧力が加えられると、支持手段を作動させ、フック部分をリムの部分、好ましくはリムフランジの後ろに係合させるように構成される。好ましくは、支持機構は、トレッド部が初期装着部に固定されたときに、車輪、特にリム、または初期装着部が接触部分と接触して、接触部分を作動させ、特にそれに圧力を加えるように構成される。接触部分がアタッチメントの側面に配置されていることが好ましい。好ましくは、軸方向に見たときに、支持手段のフック部分は、半径方向内側に、好ましくは直線状または弓状に傾斜するように構成される。支持手段は、作動されて、リム、特にリムフランジに向かって移動するときに、フック部分が半径方向内側に移動し、特に変位するように構成され、かつフック部分の移動によって、アタッチメントがリムに向かって軸方向に付勢されるように構成される。好ましくは、アタッチメントが、特に手動でおよび／または作動部分を介して、固定位置へ移動できる支持手段ロック装置を備える。作動部分は、好ましくは、アタッチメントが取り付けられた状態にあるときに、路面と接触するように構成および配置され、かつ固定位置においては、支持手段ロック装置が固定位置にある限り、車輪のリムの部分の後ろでの係合から外れて移動できないように、支持手段をロックするように構成される。好ましくは、支持手段ロック装置は、支持手段ロック装置が固定位置へ移動したときに、支持手段のフック部分をさらに支持するように、支持手段に対して構成および配置される。支持手段のフック部分は、リムの部分に反して、リムの部分の後ろで係合する。そのようなアタッチメントは、車輪に特にしっかりと固定することができる。
【００４７】
また、本発明の意味の範囲内には、アタッチメントおよび車輪のリムを備えるシステムがあり、アタッチメントは、前述の実施形態の１つまたは複数に従って構成され、リムは、少なくとも１つの開口部、好ましくは複数の開口部を有する。開口部は、リムのボルト円の領域に配置され、開口部は、ホイールボルトまたは控えボルトを受け入れるために設けられた穴から、または好ましくはリムの中央開口部から、離間して配置されている。開口部は、リムのスポーク間のギャップとは異なる。好ましくは、開口部は、いわゆるポリコントロールボアである。
【００４８】
必要に応じて、システムでは、開口部の中間点は、ホイールボルトまたは控えボルトを受け入れるために設けられた穴の中間点を通って延びる円から離間して、好ましくは半径方向外側に離間して配置され、および／または開口部の中間点は、ホイールボルトまたは控えボルトを受け入れるために設けられたすべての穴を囲む最小の円を形成する円から離間して、好ましくは半径方向内側に離間して配置される。
【００４９】
前述の実施形態では、アタッチメント、特にトレッド部は、車両のタイヤに噛み込み、タイヤ材料をクランプまたは貫通するように構成されたタイヤグリップ装置を備えることができる。これにより、タイヤをアタッチメント、特にトレッド部に固定し、運転中の脱落を防止することができる。
【００５０】
独立した発明は、タイヤ機能を低下させた運転操作を可能にするとともに、アタッチメントのトレッド面を含むトレッド部分を有する車輪用のアタッチメントでもある。アタッチメントは、車輪のタイヤに噛み込み、タイヤ材料をクランプまたは貫通するように構成された少なくとも１つのタイヤグリップ装置を含む、好ましくは、タイヤグリップ装置は、この目的のために、タイヤの材料を貫通するように構成された歯状突起を有する。
【００５１】
これにより、アタッチメントを車輪のタイヤに直接固定することができる。
【００５２】
独立した発明はまた、最初にタイヤグリップ装置を介してタイヤに固定される環状要素が提供されることであり、環状要素は好ましくはタイヤよりも小さい直径を有する。次に、最初に説明したように、トレッド部を環状要素上に配置することができる。したがって、別の発明では、タイヤグリップ装置を介して固定された環状要素は、初期装着部の代わりを形成することができる。
【００５３】
また、タイヤグリップ装置に加えて、またはその代わりに、吸引要素または接着要素が使用されることも考えられる。また、タイヤの材料との化学反応を介してタイヤとの材料結合接続を形成するように構成されている化学的固定要素の使用も考えられる。
【００５４】
このような手段は、上述の変形例において、アタッチメントをさらに固定するため、および／または運転中にタイヤが脱落しないように固定するために役立つことができる。
【００５５】
独立した発明はまた、最初に吸引要素、化学的固定要素、および／または接着要素を介してタイヤに固定される環状要素が提供されることであり、環状要素は好ましくはタイヤよりも小さい直径を有する。次に、最初に説明したように、トレッド部を環状要素上に配置することができる。したがって、別の発明では、タイヤグリップ装置を介して固定された環状要素は、初期装着部の代わりを形成することができる。
【００５６】
本発明のさらなる特徴、可能な用途および利点は、図面を参照して説明される本発明の例示的な実施形態の以下の説明から明らかになるであろう。これらの特徴は、明示的に再度言及することなく、それ自体および異なる組み合わせの両方で本発明の基本となり得る。
【図面の簡単な説明】
【００５７】
【図１】軸方向に見た車輪を示す。
【図２】図１の車輪のリムの断面図である。
【図３】本発明によるアタッチメントの第１の実施形態を示す。
【図４】図３のアタッチメントの取り付けを示す。
【図５】支持手段を示す。
【図６】本発明によるアタッチメントのさらなる実施形態を斜視図である。
【図７】本発明によるアタッチメントのさらなる実施形態を示す。
【図８】本発明によるアタッチメントのさらなる実施形態を示す。
【図９】組み立てられた構成における図８のアタッチメントを示す。
【図１０】支持機構を示す。
【図１１】グリップ装置による初期装着部の固定を示す。
【図１２】グリップ装置による初期装着部の固定のさらなる代替を示す。
【図１３】グリップ装置による初期装着部の固定のさらなる代替を示す。
【図１４】本発明によるシステムのリムを示す。
【図１５】初期装着部を示す。
【図１６】初期装着部の異なる変形を示す。
【図１７】中央開口部を介して固定するための初期装着部を示す。
【図１８】グリップ装置の異なる実施形態を示す。
【図１９】曲げ装置を有する初期装着部を示す。
【図２０】固定要素の可能な様々な変形を示す。
【図２１】トレッド部と初期装着部との間の可能な接続方法を示す。
【図２２】アタッチメントを固定するために使用できる吸盤を示す。
【図２３】独立した発明によるタイヤ把持装置およびアタッチメントを示す。
【図２４】支持手段ロック装置の詳細を示している。
【発明を実施するための形態】
【００５８】
以下の図では、対応するコンポーネントと要素には同じ符号が付いている。より明確にするために、すべての符号がすべての図で再現されているわけではない。
【００５９】
図１は、概略図で車輪１を示す。車輪１は、リム２と、リム２に取り付けられたタイヤ３と、を備える。リム２は、図２では、タイヤ３なしでそれ自体で示されている。
【００６０】
周方向は、符号Ｕを有する矢印によって表される。軸方向は、符号Ａを有する矢印によって表される（図２）。半径方向は、符号Ｒを有する矢印によって表される。
【００６１】
半径方向内側において、リム２は、車輪１のボルト円４を備える。ボルト円４の中心には、軸方向Ａに延びる車輪１の回転軸５の周りに、いわゆる中央開口部６が配置される。これは、ハブボアホールまたはセンターホールセンタリングとも呼ばれる。この場合、ボルト円４は５つのボルト穴７を含み、そのうちの２つには符号が付けられている。本車輪１では、５つのスポーク８がボルト円４の領域から半径方向外向きに延在する。
【００６２】
リム２は、リムウェル９およびリムフランジ１０を含み、中央開口部６は、凹んだ周辺溝１２を有する。
【００６３】
リム２は、ボルト円４の領域に配置された複数の開口部１３を有する。開口部１３は、ボルト穴７、すなわち、ホイールボルトまたは控えボルトを受け入れるために設けられた穴７から、またはリム２の中心開口部６から離間してリム２に配置される。開口部１３は、例えば、ポリコントロール穴の形態であることができ、それを介して、車輪１の車軸の車軸クリアランスを測定することができる。
【００６４】
車輪のタイヤ３にパンクがあると、タイヤ内の空気が抜け、車輪１のタイヤ機能が低下する。このような場合に運転操作を継続できるようにするために、本発明によるアタッチメント１４を使用することができる。
【００６５】
このようなアタッチメントの例を図３に示す。アタッチメント１４には、アタッチメント１４のトレッド面１８を含むトレッド部１６と、アタッチメント１４の取り付け時にトレッド面１８から半径方向内側に配置された初期装着部２０が形成されている。
【００６６】
この場合、トレッド部１６は、初期装着部２０から取り外し可能に構成されている。
【００６７】
初期装着部２０は、車輪１のリム２のボルト円４の領域で車輪１に固定されるように構成され、特に、リム２のボルト円４の領域で嵌合および／または接続、特に摩擦に基づく接続を介して固定されるように構成される。
【００６８】
本例では、嵌合は、１つまたは複数のグリップ装置２２によって達成される。本例では、グリップ装置２２は、拡張可能部分２４を備える。本例では、グリップ装置２２は、ボルトのような形態であり、初期装着部２０の締結穴２６に挿入することができる。拡張可能部分２４は、グリップ装置２２が挿入された後に広げることができる。
【００６９】
トレッド部１６は、固定装置２８を介して初期装着部２０に締結することができる。この場合、固定装置２８は、中央ねじ込み装置３０の形態である。固定装置２８は、トレッド部１６が、初期装着部２０への締結時に処理取り付け部分２０に向かって、初期装着部２０がリム２に既に取り付けられている場合はリム２に向かって、移動するように構成されている。
【００７０】
この場合、トレッド部１６は、周方向Ｕにマルチパート形態であり、好ましくは、トレッド部１６は、第１の周縁セグメント３２および第２の周縁セグメント３４を備える。第２の周縁セグメント３４は、取り外し可能なヒンジ装置３６を介して第１の周縁セグメント３２に取り外し可能かつ枢動可能に接続される。ヒンジ装置３６は、取り外しできない形態であってもよい。
【００７１】
第２の周縁セグメント３４は、２つの整列装置３８を介して第１の周縁セグメントに対して位置合わせすることができ、この場合、これは旋回可能な形態である。
【００７２】
整列可能とは、第２の周縁セグメント３４が、整列装置３８を介して第１の周縁セグメント３２に対して意図された位置に付勢され得、整列装置３８を介してその位置に保持され得ることを意味する。
【００７３】
整列装置３８は、第１の周縁セグメント３２に対する第２の周縁セグメント３４の位置をロックすることができるロック機構の形にすることもできる。
【００７４】
初期装着部２０を固定するために、締結穴２６は、リム２の開口部１３の上に配置される（図４ａ）。次に、グリップ装置２２が締結穴２６に挿入され、リム２の開口部１３に押し込まれる。グリップ装置２２が開口部１３を通して完全に押し込まれると、拡張可能部分２４が広がり、リブ２の開口部１３の後ろに係合する（図４ｂ）。
【００７５】
初期装着部２０が車輪に固定されると（図４ｂ）、トレッド部１６は次のステップ（図４ｃ）で初期装着部２０に固定される。このため、本実施形態のトレッド部１６は、固定装置２８を介して初期取り付け部２０に固定されている。この締結動作中、トレッド部１６は、軸方向Ａに車輪１に向かって移動する。
【００７６】
トレッド部１６を初期装着部２０に固定すると、第１の周縁セグメント３２は、最初に、固定装置２８を介して初期装着部２０に固定される。これにより、第２の周縁セグメント３４は、整列装置３８によって第１の周縁セグメントに対してまだ位置合わせされていない。したがって、第２の周縁セグメント３４は、依然として第１の周縁セグメント３２に対して旋回可能である。したがって、簡単な方法で、第１の周縁セグメント３２を初期装着部２０に固定することが可能である。
【００７７】
第１の周縁セグメント３２が初期装着部２０に接続されると、車輪１は半回転移動することができ、それにより第２の周縁セグメント３４はもはや路面Ｆに向けられず、上方に向けられる。次に、整列装置３８を介して、第２の周縁セグメント３４を第１の周縁セグメント３２に対して位置合わせし、オプションでロックすることができる（図４ｄ）。
【００７８】
これで固定作業が完了する場合がある。しかしながら、トレッド部１６が（例えば、以下に記載される支持手段を介して）車輪１にさらに固定される場合も、本発明の意味の範囲内である。これについては、以下で詳しく説明する。
【００７９】
トレッド部１６は、車輪１のリム２の部分１１、この場合はリムフランジ１０の後ろのフック部分４２と係合するように構成された支持手段４０を備えることができる。リムフランジ１０の後ろの支持手段４０のそのような係合は図５に示されている。
【００８０】
支持手段４０は、例えば、半径方向に変位可能または旋回可能であるように構成することができる。好ましくは、支持手段４０は、作動時に、リム２の部分１１、特にリムフランジ１０の後ろで係合するように作動させることができる。図５では、支持手段４０は、作動ねじ４４を介して作動させることができる。作動ねじ４４は、対向部材４６に係合し、作動ねじ４４が締められると、支持手段４０は、図５に示される係合位置になるまで、リムフランジ１０に向かって半径方向に動かされる。
【００８１】
好ましくは、支持手段４０のフック部分４２は、軸方向Ａで見たときに、半径方向内側に、好ましくは直線状または弓状に傾斜するように構成され（図５に示す）、支持手段４０は、支持手段４０が作動され、支持手段４０がリム２に向かって、特にリムフランジ１０に向かって移動すると、フック部分４２が、半径方向内側に移動する（特に、変位する）とともに、フック部分４２の移動の結果として、トレッド部１６が、リム２に向かって軸方向Ａに付勢されるように構成されている。
【００８２】
図６は、アタッチメント１４の本発明によるさらなる実施形態を示す。この実施形態では、トレッド部１６は、形状が環状である。一方、初期装着部２０は、円盤状の部分４７と、そこから突出するアーム４８とを有している。トレッド部１６は、対応する固定装置２８を介してアーム４８に固定することができる。図６の実施形態では、トレッド部１６は、単一のヒンジ装置３６を有し、第２の周縁セグメント３４上でそれに対して反対側に蟻継ぎのような係合構造４９を有する。
【００８３】
図６の実施形態では、トレッド部１６は複数の接触部分５０を有する。接触部分５０はそれぞれ、支持機構５２の一部である。接触部分５０は、接触部分５０が作動されたとき、特に圧力を受けたとき、それに関連する支持手段４０を作動させ、フック部分４２をリム２の部分１１、好ましくはリムフランジ１０の後ろで係合するように構成される。
【００８４】
図６の支持機構５２は、アタッチメント１４が車輪１に取り付けられ、車輪１が回転することにより、特に接触部分５０を作動させる（特に、圧力を加える）と、路面Ｆが接触部分５０と接触するように構成される。好ましくは、接触部分５０は、図６に示されるように、特に軸方向に見たときに、アタッチメント１４のトレッド面１８に空間的に配置される。
【００８５】
図７は、トレッド部１６のさらなる実施形態を示し、これはワンピースの形態であり、例えば、図３および４の初期装着部２０と組み合わせることができる。
【００８６】
図８および９は、例えば図３および４の初期装着部２０と組み合わせることができるトレッド部１６のさらなる実施形態を示す。
【００８７】
図８および９のトレッド部１６は、周方向Ｕに切れ目がなく、外側部分５６から半径方向内側に配置される内側部分５４を含み、外側部分５６は、周方向にギャップ５８を備えて構成される。ここで、外側部分５６は、アタッチメント１４が車輪１に取り付けられた状態にあるとき、外側部分５６が閉じた円形トレッド面１８を有するようにギャップ５８に受けられる挿入部分６０をさらに備える（図９）。
【００８８】
図８は、外側部５６から取り外した状態の挿入部分６０を示し、図９は、隙間５８に挿入した状態を示す。
【００８９】
初期装着部２０にトレッド部１６を取り付けるために、ギャップ５８を最初に路面Ｆに向けることができる。これにより、取り付けの間、車輪１は路面Ｆと接触したままでいることができる。そして、隙間５８が路面Ｆから離れるように車輪１を移動させることができる。隙間５８に挿入部分６０を挿入することができる。
【００９０】
図８および９の実施形態はまた、すべての支持手段４０の作動または動きを一緒に結合する結合機構６２を備える。このような結合機構６２は、支持手段４０のすべての実施形態に提供され得る。例えば、結合機構６２は、ケーブル引張装置の形態とすることができ、それにより、すべての支持手段４０を半径方向内側に均一かつ均一に移動させることができる。
【００９１】
図８および図９の左側において、トレッド部１６は、車輪１から離れた側を見ているように示されている。図９の右側の表現では、トレッド部分１６は、車輪１に面する側から見た状態で示されている（いずれの場合も、トレッド部分１６の車輪１への取り付け状態に基づく）。
【００９２】
図８および図９のトレッド部１６は、図９の右側の図に示されているように、トレッド部１６が初期装着部２０に固定されたときに初期装着部２０を接触部分５０と接触させて、接触部分５０を作動させる（特に、接触部分５０に圧力をかける）ように構成される支持機構５２を備える。この目的のために、接触部分５０は、図９の右側に示されるように、リム２に面するアタッチメント１４の側に配置される。
【００９３】
図１０は、図６または７のように配置された接触部分５０と支持手段４０との結合を示す。
【００９４】
接触部分５０は、フリーホイール装置６６を有する圧力伝達装置６４を介して支持手段４０に接続することができる。フリーホイール装置６６は、第１のシリンダー部分７０および第２のシリンダー部分７２を有する圧力シリンダー６８を含むことができる。支持手段４０は、フリーウィール装置６６を介して接触部分５０に機械的に結合されている。この場合、これは、接触部分５０の移動により、力がフリーホイール装置６６を介して支持手段４０に伝達され得ることを意味する。アタッチメント１４が取り付けられた車輪１が転がると、接触部分５０は、路面との接触により径方向内側に移動する。これにより、上記の構成の補強手段４０が作動するか、この場合、力が補強手段４０に伝達される。補強手段４０は、その力によってリム２またはリムフランジ１０に向かって押される。支持手段４０は、作動すると、リムフランジ１０の後ろに係合する。すべての支持手段４０がリムフランジ１０の後ろに係合すると、アタッチメント１４が車輪に固定される。上述の力伝達中に支持手段４０がリムフランジ１０に向かって押される特定の力または限界圧力を超えると、２つのシリンダー部分７０および７２が互いに押し込まれる。これは、例えば、接触部分５０がその最終位置にまだ到達していないが、フック部分４２がすでにリムフランジ１０の後ろに完全に係合しており、その上に載っているときに起こる。
【００９５】
本実施形態では、接触部分５０は、周方向Ｕに湾曲し、トレッド本体７４の一部を径方向外側に付勢するばね鋼板７３の形態である。したがって、トレッド本体７４のこの部分は、無負荷状態でトレッド本体７４の残りの環状形態から外れ、車両が路面Ｆ上を転がるときに内側に押され、力は圧力伝達装置６４およびフリーホイール装置６６を介して支持手段４０へ伝達される。
【００９６】
フリーホイール装置６６を備えた圧力伝達装置６４はまた、保持機構７８を備えることができる。この例示的な実施形態では、保持機構７８は、接触部分５０がトレッド面１８を完全に入り込んだときに、２つのシリンダー部分７０および７２を共にロックするように構成される。保持機構７８の他の形態が考えられる。保持機構７８は、接触部分５０が路面Ｆ上にもはや静止していない場合、またはもはや圧力を受けていない場合、支持手段４０がリム１０の部分１１またはリムフランジ１０の後ろの係合から外れないようにする。
【００９７】
非常に異なる構造の、好ましくはフリーホイール装置６６および／または保持機構７８を備えた、対応する圧力伝達装置６３はまた、すべてのタイプの接触部分５０、特に図８および９の実施形態に示されたように、トレッド部１６の車輪１に対向する側に配置された接触部分５０と組み合わせることができる。
【００９８】
図１１〜１３は、グリップ装置２２の例を示す。
【００９９】
図１１ａ）およびｂ）の実施形態では、グリップ装置２２の拡張可能部分２４を表す拡張可能スリーブ８０が、開口部１３に挿入される。初期装着部２０を固定するために、初期装着部が開口部１３上の締結孔２６と位置決めされる。次に、拡張要素８２を表すねじが、拡張可能なスリーブ８０にねじ込まれ、それにより、スリーブが分離されて拡張される。拡張状態では、スリーブ８０は、開口部１３の側壁と、したがってリム２との摩擦に基づく接続を形成する。スリーブ８０はまた、取り外し不可能な方法で初期装着部２０に接続することができ、その後、初期装着部２０に取り外し不能に接続されたグリップ装置２２の一部の例を表す。
【０１００】
図１１ｃ）は、開口部１３の後ろのグリップ装置２２の嵌合の例を示す。ねじ８４は、開口部１３の側壁に設けられたねじ山８６にねじ込まれ、そのねじ山８６の後ろに嵌合することができる。
【０１０１】
しかしながら、初期装着部２０に、ねじ山のない開口部１３の後ろに嵌合することができるか、またはねじ山のない開口部１３に摩擦に基づく方法で固定することができるグリップ装置２２を設けることが一般に好ましい。
【０１０２】
図１２の実施形態では、グリップ装置２２の圧縮可能部分９０を含む圧縮性スリーブ８８が示されている。図１２ａ）から１２ｃ）は、圧縮性スリーブ８８が開口部１３にどのように挿入されるかを示す。
【０１０３】
図１２ｂ）は、開口部１３への圧縮性スリーブ８８の挿入を示す。圧縮可能部分９０は、開口部１３を通って案内されるときに内側に移動でき、開口部１３を通って案内されるときに非圧縮状態に拡張し、開口部１３の後ろに嵌合するフック領域９２を含む。次に、初期装着部２０は、拡張要素８２（図１２ｃ）を表すねじを用いて固定することができる。
【０１０４】
圧縮性スリーブ８８はまた、取り外し不可能な方法で初期装着部２０に接続することができる。そのようなバージョンは、断面図で図１３に概略的に示されている。図１３のバージョンでは、トレッド部１６は、対応する穴９４を介して初期装着部２０に固定され、これらの穴９４は、拡張要素８２と共に固定装置２８を形成する。初期装着部２０は、（この場合は、取り外し不可能な方法で）それに接続された圧縮性スリーブ８８を介して開口部１３内に、そのままクリップすることができる。圧縮性スリーブ８８は、圧縮可能部分９０を含み、グリップ装置２２を表す。トレッド部１６は、次に、拡張要素８２を介して初期装着部２０に固定することができ、この固定作業中にトレッド部１６は、軸方向Ａにリム２に向かって移動する。
【０１０５】
また、本発明の意味の範囲内には、車輪１のアタッチメント１４およびリム２を備えるシステムがあり、アタッチメント１４は、以下の請求項のうち１つ、前述の実施形態の１つに従って構成され、リム２は、ボルト円４の領域でリム２にあるかまたは配置されている少なくとも１つまたは複数の開口部１３を有し、開口部１３は、ホイールボルトまたは控えボルトを、好ましくはリム２の中央開口部６から、受けるため設けられた穴７から離間してあるかまたは配置されている。
【０１０６】
図１４は、そのようなシステムのリム２の例を示している。
【０１０７】
図１４のリム２は、この場合、５つの開口部１３を有する。しかしながら、より多いまたはより少ない開口部１３を設けることもできる。図１４に示すように、開口部１３の中間点９９が、ホイールまたは控えボルトを受容するために設けられた穴７の中間点１０１を通って延びる円１００から、好ましくは半径方向外側に、離間して配置されることが好ましい。開口部１３の中点９９が、ホイールボルトまたは控えボルトを受けるために設けられたすべての穴７を囲む最小の円を形成する円１０２から離間して、好ましくは半径方向内側に離間して、配置されることも好ましい。開口部１３の位置に関する上記の説明は、軸方向Ａの観察方向に関する。
【０１０８】
好ましくは、開口部１３は、円１０１と１０２との間に配置されており、それらは、それらの断面の大部分、好ましくはそれらの断面全体が円の間にあるようになっている。
【０１０９】
図１５は、初期装着部２０（図１５ａ）と、車輪１または車輪１のリム２（図１５ｂおよび１５ｃ）へのその固定を示している。
【０１１０】
図１５に示される実施形態は、中空ロッドの形態、または拡張可能なスリーブ８０の形態であるグリップ装置２２を備える。中空ロッドの形態のグリップ装置２２は、それぞれ、拡張可能部分２４を有する。フック状突起１０４は、拡張可能部分２４上に配置されている。
フック状突起２４は、リム２の開口部１３の後ろにぴったりと嵌合するように機能する。初期装着部２０は、スペーサー１０６をさらに備えることができる。スペーサー１０６は、リム２に対する所定の距離を特定するように機能することができる。有利には、スペーサー１０６は、スリーブの形態である。スペーサー１０６がホイールボルト１５またはそのヘッドに取り付けられるように構成されている場合が好ましい。
【０１１１】
図１５ｂでは、リムへの初期装着部２０の取り付けが示されている。本実施形態の初期装着部２０は、この場合はプレート状であり、拡張要素８２が取り付けられる作動部分１０８を備える。作動部分１０８は、拡張要素８２が中空ロッドの形態でグリップ装置２２内に配置されるように、中央ねじ１１０を介して初期装着部２０の残りの部分に接続され得る。作動部分１０８と初期装着部２０の残りの部分との間の他の可動接続も考えられる。この構成は図１５ｂに示されている。中央ねじ１１０がねじ込まれている場合、作動部分１０８は、初期取り付け部２０の残りの部分から離れるように軸方向に移動する。その結果、拡張要素８２は、中空ロッドの形態のグリップ装置２２内に移動して、それらのそれぞれの拡張可能部分２４が広がり、その上に配置されたフック状突起２４が開口部１３の後ろにぴったりとはまるようにしっかりと係合するようになる。
【０１１２】
初期装着部２０は、例えば図３から図９に示すように、トレッド部１６を初期装着部２０に固定することができる固定装置２８を有する。図１５に示す固定装置２８は、半径方向外側に延びる２つのリム１１２を有し、各リムは、対応するねじ１１６をねじ込むことができるねじ山を有する穴１１４を含み、ねじ１１６によって、トレッド部１６を初期装着部２０に固定することができる。
【０１１３】
図１６ａは、図１５の初期装着部２０を斜視図で示している。
【０１１４】
図１６ｂは、初期装着部２０の代替形態を示す。図１６の初期装着部２０では、作動部分１０８は、ランプ状の隆起１２８上を走る円形セグメントの形状を有するスロットを備える。作動部分１０８の回転によって、拡張要素８２は、ランプ状の隆起部に沿ってスライドすることによってグリップ装置２２内に移動され、それにより、グリップ装置は拡張される。作動部分１０８の回転は、対応するハンドル１３０を介して手動で行うことができる。
【０１１５】
説明された作動部分１０８は、単に例として理解されるべきである。一般に、作動部分１０８は、初期装着部２０の残りの部分に対する作動部分１０８の動きによって、拡張要素８２の動きをもたらすことができるように構成することができ、その結果、グリップ装置２２は、特に、グリップ装置２２の拡張可能部分２４が離れて広がるまたは広げられるように、対応する開口部１３の後ろに嵌合するようになる。
【０１１６】
図１７は、初期装着部２０のさらなる可能な形態を示す。それにより、締結装置２８は、図１５の締結装置２８の形態に対応する。トレッド部１６を締結するための固定装置２８の他の形態が可能である。
【０１１７】
図１７に示される初期装着部２０は、グリップ装置２２を有する。初期装着部２０は、グリップ装置２２とリム２の中央開口部６との摩擦に基づく係合を介して車輪１に固定されるように構成される。グリップ装置２２は、中央開口部６に嵌合するように構成されることも可能である。
【０１１８】
図１７の例では、グリップ装置２２は、スロット付きまたは拡張可能なスリーブ８０の形態である。スロット付きまたは拡張可能なスリーブ８０の内部には、半径方向の範囲が変化する要素１１８が配置される。この場合、要素１１８は、円錐要素１２０の形態である（要素１１８は円錐形部分１２２を有する）。半径方向の範囲が変化する要素１１８は、スロット付きまたは拡張可能なスリーブ８０に対して軸方向Ａに移動可能である。要素１１８をスロット付きまたは拡張可能なスリーブ８０に対して軸方向Ａに移動させるために、初期装着部２０は支持ねじ１２４を有する。要素１１８の軸方向の動きの結果として（図１７ａの表示では上向き）、スロット付きまたは拡張可能なスリーブ８０は、中央開口部６内で摩擦に基づく方法で係合するように、離れて拡張することができる。この場合、これは、それが中央開口部６内に延び、それを内側から係合するか、または摩擦に基づいて内側から中央開口部６の壁に載ることを意味する。スロット付きスリーブ８０は複数の拡張可能なアーム１２６を有する。可動性の、特に半径方向外向きに曲げることができる、アーム１２６は、拡張可能な部分２４を表す。アーム１２６はまた、図１７ｂに示されるよりも互いに実質的にさらに間隔を空けてもよい。例えば、好ましくは互いに反対側に配置される２つの拡張可能なアーム１２６のみが存在することが可能である。突起は、アーム１２６の１つ以上、または一般に拡張可能部分２４上に配置することができ、これらの突起は、対応する溝または一般に中央開口部６の凹部に係合することができる。固定は、嵌合を介して行うことができる。
【０１１９】
図１８は、リム２の開口部１３、好ましくはポリコントロールボアに挿入することができ、嵌合または摩擦に基づく係合による固定に役立つことができるグリップ装置２２の異なる実施形態を示す。
【０１２０】
図１８ａに示す変形例は、図１２に示す実施形態に類似している。しかしながら、グリップ装置２２の図１８ａの変形例は、圧縮可能部分９０を表す複数のフック領域９２を有する棒状要素によってのみ形成される。図１８ａの変形例は、拡張要素８２を必要としない。図１８ａによるグリップ装置２２を用いて、初期装着部２０は、開口部１３またはポリコントロールボアにほぼ直接挿入することができる。グリップ装置２２は、固定して（図１３と同様に）または着脱可能に初期装着部２０に取り付けることができ、または初期装着部を通して挿入されるように構成することができる。
【０１２１】
図１８ｂに示される変形は、図１５および１６に示されるグリップ装置２２の変形に対応して構成される。図１８ｂのグリップ装置２２は、嵌合のために構成される。
【０１２２】
図１８ｃに示されるグリップ装置２２の変形は、摩擦に基づく係合のために構成される。この目的のために、グリップ装置２２は、この場合、圧縮性スリーブ１３２によって形成される、拡張可能部分２４を有する。圧縮性スリーブ１３２は、その軸方向範囲が減少すると半径方向範囲が増加するスリーブを意味する。この場合、ナット１３６を介して拡張要素８２が締め付けられると、圧縮性スリーブ１３２の軸方向範囲が減少し、圧縮性スリーブ１３２の半径方向範囲が増加する。これにより、圧縮性スリーブ１３２は、開口部１３の内壁に対して摩擦に基づく方法で静止し、摩擦に基づく係合が達成される。
【０１２３】
図１８ｄに示されるグリップ装置２２の変形例は、嵌合のために構成される。図１８ｄの変形例では、グリップ装置２２は、ねじによって形成される。これは、開口部１３がねじ山を有すること、または開口部の後ろに配置される嵌合ねじが必要であり、そこにねじをねじ込むことができる。
【０１２４】
グリップ装置２２が開口部１３におけるねじ山なしの嵌合のために構成されることが好ましい。これは、開口部１３がねじ山を有さず、開口部（グリップ装置がその中に入る）の後ろに配置された結合用のねじ山がないことを意味する。それにより、ねじ山はまた、材料が開口部１３に導入される場合、ねじが自動的にねじ山を切ることができるか、またはそのような材料が開口部１３の後ろに配置されることを意味する。しかしながら、そのような材料とねじ切りねじとの併用も、本発明の意味の範囲内である。好ましくは、グリップ装置２２自体はねじ山なしである。したがって、それは嵌合を生成するためのねじ山を有しない。しかしながら、グリップ装置２２を動かすためにねじ山が存在してもよい。例えば、図１５ｂの実施形態は、ねじ山のないグリップ装置２２を有する。
【０１２５】
図１９は、クランプ装置１４０を介して車輪１のホイールボルト１５に固定されるように構成された初期装着部２０を示し、クランプ装置１４０は、少なくとも２つのホイールボルト１５をクランプ方式で一緒に係合してそれらを把持するように構成される。クランプ装置１４０は、複数の締結要素１４２を備える。クランプ装置１４０は、少なくとも２つの締結要素１４２を有するが、好ましくは、図１９に示すように、各ホイールボルト１５に対して１つの締結要素を有する。締結要素１４２は、ホイールボルト１５のヘッドの開口部に挿入されるように構成することができる（図２０ｃ）。締結要素１４２をホイールボルト１５のヘッド上に配置されるように構成することも可能であり（図１９ａ〜ｃおよび図２０ａおよび２０ｂ）、締結要素１４２は、ホイールボルト１５のヘッドの外側の輪郭（通常は六角形）に相補的なボルトヘッドを受け入れる部分１４４を備えるように構成されるか、またはボルトヘッドを受け入れる締結要素１４２の部分１４４はその内側に長手方向の溝を有することで、ボルトヘッドに対する締結要素１４２の回転が防止される。
【０１２６】
クランプ装置１４０は、曲げ装置１４４を備える。この場合、曲げ装置１４６は、締結要素１４２を曲げるように、好ましくは、図示のように、すべての締結要素１４２がホイールボルト１５（図１９ａ〜ｃ、図２０ａおよび２０ｂ）のヘッド上に配置されたときに、またはホイール１５のヘッド（図２０ｃ）の開口部に挿入されたときに、互いに離れるように、構成される。
【０１２７】
曲げ装置１４６はまた、締結要素１４２がホイールボルト１５（図１９ａ〜ｃおよび図２０ａおよび２０ｂ）のヘッド上に配置されるか、またはホイールボルト１５のヘッド（図２０ｃ）の開口部に挿入されると、締結要素１４２を互いに向かって曲げるように構成され得る。
【０１２８】
この例では、曲げ装置１４６は、ねじ１５０を介して締結要素１４２に向かって動かされると、締結要素１４２を互いに離れる方向に曲げる。互いに向かってまたは互いに離れるように曲げられた結果として、締結要素１４２は、互いに対して固定される。その結果、クランプ装置１４０は、締め付け方法でホイールボルト１５を一緒に係合し、締め付け方法でそれらを把持する。
【０１２９】
図１９に示されているように、曲げ装置１４６は、例えば、ねじ１５０によって、初期装着部２０の残りの部分、または締結要素１４２に対して軸方向に移動可能であるように構成することができる。それが軸方向に初期装着部２０に向かって、またはそこから離れるように、または締結要素１４２に向かって、またはそこから離れるように移動すると、締結要素１４２は、互いに向かって、または互いに離れるように曲げられる。これは、例えば、図１９に示されているように、曲げ装置１４６上の斜面１５４を介して達成することができる。
【０１３０】
図１９ｂは、締め付けられていない状態の締結要素１４２を示し、図１９ｃは、締め付けられた状態、または互いに離れるように曲げられた状態の締結要素１４２を示す。
【０１３１】
曲げ装置１４６が、締結要素１４２を取り囲み、直径を小さくすることができる、または締結要素１４２の間に配置され、拡張可能であるテンションリング（図示せず）の形態である場合も考えられる。図１９に示されるように、曲げ装置１４６は、ばね１５８を介して、初期装着部２０に向かって、または締結要素１４２に向かって、または初期装着部または締結要素から離れるように付勢されることが可能である。曲げ装置１４６は、ねじ１５０を介してばね１５８の付勢方向に抗して移動することができる。
【０１３２】
曲げ装置１４６はまた、円形経路から全体的に逸脱する弓状スロットを有する要素、好ましくは（図１６ｂの円形セグメントの形状を有するスロットを有する作動部分１０８と同様の）板状要素を含むことができる。そのような要素は、隆起１２８を有さず、図１６ｂとは異なり、円形セグメントの形状を有するスロットは、円形経路上で全体的に延在せず、そこから逸脱する。要素が回転すると、円形セグメントの形状を有するスロットに配置された締結要素１４２は、スロットが円形経路から外れる方向に応じて、内向きまたは外向きに曲がる。
【０１３３】
図２０は、締結要素１４２、特にボルトヘッドを受け入れる部分１４４の考えられる異なるタイプを示している。ボルトヘッドを受け入れる部分１４４は、ホイールボルト１５のヘッドの外側輪郭（通常は六角形）を補完するように構成することができる（図２０ａ）。ボルトヘッドを受け入れる締結要素１４２の部分１４４はまた、ボルトヘッドに対する締結要素１４２の回転を防止するために、その内側に長手方向の溝１６０を有することができる（図２０ｂ）。図２０ｃは、締結要素１４２がボルトヘッドの内側凹部に挿入され得る、一種の締結要素１４２を示す。
【０１３４】
図２１は、トレッド部１６が作動装置１６２を介して初期装着部２０に対して軸方向Ａに移動可能であるように、トレッド部１６と初期装着部２０を接続する可能な方法を示す。
【０１３５】
図２１ａは、軸方向に見た初期装着部２０を示す。図示の実施形態の初期装着部２０は、トレッド部１６を取り付けるための２つの突出した取り付けアーム１６４を有する。図示の実施形態の初期装着部２０は、それぞれ取り付け要素１６８を受け入れるように構成された２つのレシーバー１６６も有する。取り付け要素１６８は、図２１ｂに関連してより詳細に説明される。
【０１３６】
取り付けアーム１６４は、一部品のトレッド部１６をそれに取り付けることができるように構成することができる。しかしながら、好ましくは、取り付けアーム１６４は、第１の周縁セグメント３２および第２の周縁セグメント３４を有するトレッド部１６を初期装着部２０に取り付けることができるように構成される。取り付け時には、最初に初期装着部２０を、リム２のボルト円４の領域での嵌合を介して、および／またはリム２のボルト円４の領域でのリムのボルト円４の領域での車輪１への接続、好ましくは摩擦に基づく接続を介して、例えば上述の方法の１つで、ボルト円４の領域での領域のリム２に取り付ける。
【０１３７】
次に、第１の周縁セグメント３２を初期装着部２０上に配置し、作動装置１６２の作動により、作動装置１６２を介して軸方向Ａに初期装着部に向かって移動させることができる。
【０１３８】
好ましくは、トレッド部１６は、部分１１の後ろのフック部分４２と係合するように構成される支持手段４０を有し、この場合、車輪１のリム２のリムフランジ１０である。好ましくは、アタッチメント１４は、好ましくはトレッド部１６上に配置される接触部分５０を有する支持機構５２を備える。接触部分５０は、好ましくは、車輪１に面するアタッチメント１４の側に配置される。作動装置１６２によってトレッド部１６が初期取り付け部２０に対して軸方向Ａに移動すると、接触部分５０は、車輪１および／または初期取り付け部２０に接触し、それにより、作動するように配置されることが好ましい。したがって、アタッチメントまたはそれぞれの周縁セグメント３２、３４は、作動装置１６２の作動時に、リムフランジ１０の後ろでほぼ自動的に支持手段４０と係合することができる。
【０１３９】
この場合、空気圧作動装置１６２が示されている。しかしながら、作動装置１６２は、純粋に機械的、特にばねで付勢された形態であってもよい。空気圧でかつばね付勢で作動する作動装置１６２を提供することも考えられる。電気作動装置１６２も可能である。
【０１４０】
作動装置１６２の機能に関して：周縁セグメント３２、３４は、取り付けアーム１６４上に配置される。取り付け要素１６８は、初期装着部２０上のレシーバー１６６に挿入される。取り付け要素１６８は、トレッド部１６の周縁セグメント３２、３４に変位可能に取り付けられる。取り付け要素１６８は、ピストン部分１７０とともに圧力室１７２内に延びる。圧力室１７２は、弁１７６を有する圧力媒体接続１７４を有する。圧力媒体源１７８は、圧力媒体接続１７４に接続され得る。そのような圧力媒体源１７８は、例えば、自転車のタイヤの修理セットから知られているように、小さなガスカートリッジであり得る。しかしながら、そのような圧力媒体源１７８はまた、依然として十分な空気圧を有する車両のさらなるタイヤであり得る。コンプレッサーの使用も考えられる。
【０１４１】
圧力媒体供給源が圧力媒体接続部１７４に接続されている場合、弁１７６を開けて、圧力媒体を圧力室１７２に加えることができる。次に、ピストン部分１７０は、圧力室１７２内で、トレッド部１６、またはマルチパートトレッド部１６の場合、それぞれの周縁セグメント３２、３４は、軸方向Ａに、初期装着部２０に向かって、または車輪１に向かって動くように、動く。この動きは、図２１ｂに矢印１７９として示されている。
【０１４２】
「トレッド部１６は、初期装着部２０に対して作動装置１６２を介して軸方向Ａに移動可能であるように、初期装着部２０に接続され、または接続され得る」とは、少なくとも部分的に、特に、トレッド部１６の周縁セグメント３２、３４は、初期装着部２０に対して軸方向Ａに移動可能である。好ましくは、トレッド部１６全体、またはすべての周縁セグメント３２、３４は、作動装置１６２を介して移動可能である。
【０１４３】
好ましくは、アタッチメント、特にトレッド部１６は、それが初期装着部２０に対する意図された位置に移動したときに、トレッド部１６（またはそれぞれの周縁セグメント３２、３４）を初期装着部２０に対するその位置にロックするロック機構１８０を有する。図２１ｂは、ロック機構１８０の例として、ばね付勢されたロッドを示し、このロッドは、トレッド部１６が初期装着部２０に向かって移動したときに、取り付け要素１６８上の凹部にラッチする。
【０１４４】
取り付け要素１６８は、圧力媒体によって動かされる代わりに、または圧力媒体によって動かされることに加えて、付勢されたばね、特に圧縮ばねによって動かされることも考えられ、該付勢されたばねは、トレッド部１６の取り付け時にロック解除されて、トレッド部１６が初期装着部２０に向かって移動するように、取り付け要素１６８を移動させる。作動時に、トレッド部１６と初期装着部２０との間に相対移動を引き起こす、作動装置１６２の他の形態も、同様に本発明の意味の範囲内である。好ましくは、作動装置１６２は、作動装置１６２が作動されると、トレッド部１６が初期装着部２０に向かって移動するように構成される。
【０１４５】
図２１ｃは、作動装置１６２のさらなる可能な形態を示す。図２１ｃの実施形態では、トレッド部１６の２つの周縁セグメント３２、３４は、初期装着部２０に枢動可能に取り付けられている。作動装置１６２の作動時に、周縁セグメント３２、３４は、車輪１に向かって旋回する。
【０１４６】
本発明の意味の範囲内には、初期装着部２０とトレッド部１６またはその周縁セグメント３２、３４との間に相対運動を引き起こすように構成された作動装置１６２を含むアタッチメント１４がある。
【０１４７】
本発明の意味の範囲内で、トレッド部１６は、並進および枢動可能の両方で（図２１ｃの例によって示される）作動装置１６２を介して、初期装着部２０に対して軸方向Ａに移動可能であり得る。
【０１４８】
図２２に示すように、アタッチメント１４を固定するために吸盤１８２、１８４を使用することができる。特に、初期装着部２０が、吸盤１８２によって、車輪１、特に車輪１のリム２のボルト円４の領域に固定されるように構成されることも考えられる。この目的のために、負圧を介してリム２に付着するように構成された吸盤１８２が有利に提供される。初期装着部２０を取り付けるために、吸盤１８２は、特にねじ山を有する棒状の延長部１８６を備えることができる。さらに、またはあるいは、トレッド部１６は、吸盤１８２を介してリム２に、および／またはさらなる吸盤１８４を介してタイヤ３に固定され得る。
【０１４９】
特に、初期装着部２０が、材料結合接続、特に接着接続によって車輪１に、特に、車輪１のリム２のボルト円４の領域で固定されるように構成されることも考えられる。材料結合または接着接続は、特に、接着剤でコーティングされた吸盤１８８を介して達成することができ、接着剤でコーティングされた吸盤１８８は、必ずしも負圧を維持する必要はない。タイヤ３のゴムに結合する組成物を使用することも考えられる。特に、吸盤１９０は、そのような組成物でコーティングすることができる。次に、吸盤１９０は、タイヤ３との化学反応に基づいて、タイヤとの材料結合接続に入り得る。
【０１５０】
吸盤１８４、１９０は、一方ではアタッチメント１４を車輪１に固定するとともに、そして他方ではタイヤ３を、車輪１に固定接続されたアタッチメント１４に固定して、運転中しっかりと保持し、リム２から離れないように、使用することができる。
【０１５１】
アタッチメント１４が、タイヤ３をアタッチメント１４に保持するように構成されたタイヤ保持装置１９２を有する場合、概して本発明の意味の範囲内である。このタイプの可能なタイヤ保持装置１９２は、１つ以上の上述の吸盤１８４、１９０（図２２）である。そのようなタイヤ保持装置１９２のさらなる可能性が図２３ａに示され、車輪１のタイヤ３に食い込んでタイヤ材料をクランプするように構成されたタイヤ把持装置１９４によって与えられる。好ましくは、タイヤ把持装置１９４は、この目的のために、タイヤ３の材料を貫通するように構成された歯状突起１９８を有する。
【０１５２】
独立した発明は、アタッチメント１４のトレッド面１８を備えるトレッド部１６を有する、タイヤ機能を低下させた運転操作を可能にする車輪１用のアタッチメント１４であり、アタッチメント１４は、少なくとも１つのタイヤグリップ装置１９４を備える。タイヤグリップ装置１９４は、車輪１のタイヤ３に食い込んでタイヤ材料をクランプするか、車輪１のタイヤ３に食い込んでタイヤ材料を貫通するように構成される。
【０１５３】
さらに独立した発明が図２３ｂおよび２３ｃに示されている。本発明は、アタッチメント装置１９８、特に吸盤１８２、１８４、１８８、１９０を備える初期装着部２０を有する、タイヤ機能を低下させた運転操作を可能にする車輪１用のアタッチメント１４に関する。アタッチメント装置１９８（特に、吸盤１８２、１８４、１８８、１９０）によって、車輪１、特にリム２、好ましくはリム２の半径方向外側領域に取り付けることができ、アタッチメントは、アタッチメント１４のトレッド面１８を有するトレッド部１６を含み、トレッド部１６は、接続装置２００（これは、例えば、上述の作動装置１６２によっても形成され得る）を介して初期装着部２０に接続され得、トレッド部１６は、好ましくは、少なくとも１つのタイヤグリップ装置１９４、および／またはタイヤ保持装置１９２を含み、好ましくは、トレッド部１６は、少なくとも２つの周縁セグメント３２、３４を含む。
【０１５４】
図２３ｄは、タイヤグリップ装置１９４のさらなる可能な変形例を示す。図２３ｄに示される変形例は、それをグリップするためにタイヤの材料を通して旋回可能であるフック状グリップ要素２０２を備える（図２３ｄ右）。フック状グリップ要素２０２は、車輪１のタイヤ３の材料に食い込み、タイヤ材料を貫通する。
【０１５５】
図２４ａおよび２４ｂは、固定位置ＳＰに移動することができ、固定位置ＳＰにおいて、特に嵌合ロック（図２４ｂ参照）によって支持手段４０をロックするように構成された支持手段ロック装置２０４を備えるアタッチメント１４の一部を示す。ここで、支持手段ロック装置２０４が固定位置ＳＰにある限り、フック部分４２は車輪１のリム２の部分１０の後ろの係合から外れないようになっている。取り付けは、図２４ａに部分的にのみ示され、特に、支持手段ロック装置２０４および支持手段４０の描写をより明確に見えるようにするために、特にトレッド部は示されていない。
【０１５６】
本実施例では、固定位置ＳＰでのロックは、支持手段ロック装置２０４の可動支持面２０８が、本実施形態では、ピン形状の突起２１０の後ろに嵌合方式で係合することで保証される。しかしながら、支持面２０８はまた、支持手段４０の異なる部分の後ろにぴったり合うように係合することができる。この例では、ピン形状の突起２１０は、支持手段４０から横方向に突出する。このような突起２１０および支持面２０８は、支持手段４０の両側に存在する。
【０１５７】
図２４に示されるように、アタッチメント１４は、一般に、タイヤ変位装置２０６を有することもできる。これは、タイヤ３をリムフランジ１０から持ち上げて、その後ろの支持手段４０の係合を容易にするのに役立つ。
【０１５８】
ここに示される支持手段ロック装置２０４は、支持手段４０に対して、固定位置ＳＰに移動したときに（この移動は矢印２１２によって図２４ａに示されている）、支持手段ロック装置２０４がリム２の部分１０、１１に反対して、リム２の部分１０、１１の後ろに係合する支持手段４０のフック部分４２をさらに補強するように構成され、かつ配置される。これは、本実施例では、支持面が２０８は、面取りされるように構成され、支持手段ロック装置２０４またはその支持表面２０８が移動するかまたは半径方向内側に移動するときに、支持手段４０を突起２１０を介して係合位置にさらに補強することで達成される。
【０１５９】
支持手段ロック装置２０４またはその支持面２０８の動きは、作動部分２１４を介して生成することができる。作動部分２１４は、支持手段ロック装置２０４が、作動部分２１４が作動されたとき、特に圧力を受けたときに、固定位置ＳＰに移動されるように、支持手段ロック装置２０４と結合することができる。
【０１６０】
作動部分２１４は、好ましくはトレッド面１８に配置される。    
好ましくは、作動部分２１４は、ゴム材料から作られるか、またはゴム材料を含む接触面２１６を有する。好ましくは、接触面２１６は、トレッド面１８に配置され、路面との接触時に、それがトレッド面１８と同一平面に延びるように摩耗するように構成される。
【０１６１】
作動部分２１４は、好ましくは、可変部分２２０を介して支持手段ロック装置２０４と機械的に結合される。特に、可変部分２２０は、その半径方向の範囲で調整可能であり得る。これは、図２４ａの例では、支持手段ロック装置２０４の対応する凹部２２２に押し込むことができるリブ状の突起２２１を有する可変部分２２０によって達成される。
【０１６２】
支持手段ロック装置２０４の機能は以下の通りである：リムフランジ１０の後ろの支持手段４０の係合後またはその間に、アタッチメント１４が回転し、トレッド面１８が路面上を転がる。これにより、作動部分２１４が路面に接触する。これにより、作動部分２１４は半径方向内側に移動する。作動部分２１４の動きは、支持手段ロック装置２０４との機械的結合によって支持手段ロック装置２０４に伝達される。支持手段ロック装置は、半径方向内側に移動する。これにより、支持面２０８は、支持手段４０の突起２１０の後ろに係合する。それにより、支持面２０８は、この場合、軸方向Ａに突起２１０を変位させ、それにより、支持手段４０は、突起２１０を介してリムフランジ１０に対して補強され、突起２１０は、支持手段４０に接続される。したがって、支持手段４０は、形状にぴったりした方法でロックされ、同時に、特に、そのフック部分４２は、リムフランジ１０に対して補強される。支持手段４０は、リムフランジ１０の後ろの係合位置から外れて旋回することができなくなる。
【０１６３】
しかしながら、支持手段ロック装置２０４は、様々な他の方法で移動可能にすることもでき、特に、支持手段ロック装置２０４は手動で移動可能である。好ましくは、支持手段ロック装置２０４は、固定位置ＳＰにラッチする。支持手段ロック装置２０４が、固定位置ＳＰに付勢される、特にばね付勢されることも考えられる。
【０１６４】
支持手段４０、支持機構５２および支持手段ロック装置２０４は、これまでに様々な形態で説明されてきた。これらの形態は、特に、前述の本発明によるアタッチメント１４の実施形態に関する。独立した発明はまた、トレッド面１８を備えたベース本体を有するアタッチメント１４であり、アタッチメント１４はさらに、前述の支持手段４０の１つ以上の実施形態、特に、支持機構５２の１つ以上の実施形態、好ましくは、支持手段ロック装置２０４の１つ以上の実施形態を含む。
【符号の説明】
【０１６５】
１  車輪
２  リム
４  ボルト円
１４  アタッチメント
１８  トレッド面
２０  初期装着部
２２  グリップ装置
【図１】
2020536790.tif 000003
【図２】
2020536790.tif 000004
【図３】
2020536790.tif 000005
【図４】
2020536790.tif 000006
【図５】
2020536790.tif 000007
【図６】
2020536790.tif 000008
【図７】
2020536790.tif 000009
【図８】
2020536790.tif 000010
【図９】
2020536790.tif 000011
【図１０】
2020536790.tif 000012
【図１１】
2020536790.tif 000013
【図１２】
2020536790.tif 000014
【図１３】
2020536790.tif 000015
【図１４】
2020536790.tif 000016
【図１５】
2020536790.tif 000017
【図１６】
2020536790.tif 000018
【図１７】
2020536790.tif 000019
【図１８】
2020536790.tif 000020
【図１９】
2020536790.tif 000021
【図２０】
2020536790.tif 000022
【図２１】
2020536790.tif 000023
【図２２】
2020536790.tif 000024
【図２３】
2020536790.tif 000025
【図２４】
2020536790.tif 000026
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
タイヤ機能を低下させた運転操作を可能にする車輪（１）用のアタッチメント（１４）であって、
前記アタッチメント（１４）のトレッド面（１８）を含むトレッド部（１６）と、前記アタッチメント（１４）の取り付け時に、前記トレッド面（１８）から半径方向内側に配置され、かつ前記車輪（１）のリム（２）のボルト円（４）の領域で前記車輪（１）に固定されるように適合された初期装着部（２０）と、を有し、前記トレッド部（１６）は、固定装置（２８、３０）によって取り外しできないように前記初期装着部（２０）に固定され、前記固定装置（２８、３０）は、前記初期装着部（２０）への固定時に、前記トレッド部（１６）が前記リム（２）に向かって軸方向（Ａ）に移動するように構成され、前記トレッド部（１６）は、前記車輪（１）の前記リム（２）の部分（１０、１１）、特にリムフランジ（１０）の後ろでフック部分（４２）と係合するように構成された少なくとも１つの支持手段（４０）を備える、アタッチメント（１４）。
【請求項２】
前記初期装着部（２０）は、前記リム（２）の前記ボルト円（４）の領域における嵌合を介して、および／又は前記リム（２）の前記ボルト円（４）の領域における接続、好ましくは摩擦に基づく接続を介して、前記リム（２）の前記ボルト円（４）の領域で前記車輪（１）に固定されるように適合される、請求項１に記載のアタッチメント（１４）。
【請求項３】
前記初期装着部（２０）は、前記リム（２）の開口部（１３）、好ましくは円形開口部とグリップ装置（２２）の嵌合および／または摩擦に基づく嵌合を介して前記車輪に固定されるように構成され、前記開口部は前記ボルト円（４）の領域に配置され、前記開口部（１３）は、ホイールボルトまたは控えボルトを受け入れるように前記リム（２）に設けられた穴（７）から離間して前記リム（２）に配置され、好ましくは、前記開口部は、前記リム（２）の中心開口部（６）であるか、または前記リム（２）の回転軸（５）から離間して配置されている、請求項１に記載のアタッチメント（１４）。
【請求項４】
前記グリップ装置（２２）が、好ましくは前記ボルト円（４）の領域の前記開口部（１３）の後ろで係合するように構成された、拡張可能部分（２４）を備えることを特徴とする、請求項３に記載のアタッチメント（１４）。
【請求項５】
前記グリップ装置（２２）が、圧縮状態では、前記ボルト円（４）の領域の前記開口部（１３）を通して案内されるとともに、前記開口部（１３）を通して案内されたときに、非圧縮状態に拡張するように構成された圧縮可能部分（９０）を備える、請求項３または４に記載のアタッチメント（１４）。
【請求項６】
前記グリップ装置（２２）の一部が、いずれの場合でも、取り外しできない方法で前記初期装着部（２０）に接続される、請求項３〜５のいずれか一項に記載のアタッチメント（１４）。
【請求項７】
前記初期装着部（２０）は、クランプ装置（１４０）によって前記車輪（１）のホイールボルト（１５）に固定されるように構成され、前記クランプ装置（１４０）は、前記ホイールボルト（１５）をクランプ方式で係合してそれを把持するか、または少なくとも２つのホイールボルト（１５）をクランプ方式で一緒に係合してそれらを把持するように構成される、請求項１〜６のいずれか一項に記載のアタッチメント（１４）。
【請求項８】
前記トレッド部（１６）が、作動装置（１６２）、好ましくは、空気圧および／またはばね付勢作動装置を介して、前記初期装着部（２０）に対して前記軸方向（Ａ）に移動できるように、前記初期装着部（２０）に接続可能である、請求項１〜７のいずれか一項に記載のアタッチメント（１４）。  
【請求項９】
前記トレッド部（１６）は、特に周方向（Ｕ）において、マルチパート形態であり、好ましくは、前記トレッド部（１６）は、特に、互いに分離可能であり、および／または互いに対して旋回可能または変位可能である少なくとも２つの周縁セグメント（３２、３４）を備える、請求項１〜８のいずれか一項に記載のアタッチメント（１４）。
【請求項１０】
前記トレッド部（１６）は、前記周方向（Ｕ）に切れ目がなく、外側部分（５６）から半径方向内側に配置された内側部分（５４）を備え、前記外側部分（５６）は、前記周方向（Ｕ）にギャップ（５８）を備えて構成され、前記外側部分（５６）は、挿入部分（６０）をさらに備え、前記アタッチメント（１４）が前記車輪（２）に取り付けられた状態にあるとき、前記外側部分（５６）が閉じた円形トレッド面（１８）を有するように、前記挿入部分（６０）が前記ギャップ（５８）に収容される、請求項１〜６のいずれか一項に記載のアタッチメント（１４）。
【請求項１１】
前記アタッチメント（１４）が、接触部分（５０）を有する支持機構（５２）を備え、前記接触部分（５０）は、前記接触部分（５０）が作動され、特に圧力を受けたときに、前記支持手段（４０）を作動させ、かつ前記リム（２）の前記部分（１０、１１）、好ましくはリムフランジ（１０）の後ろで前記フック部分（４２）を係合させるように構成される、請求項１に記載のアタッチメント（１４）。  
【請求項１２】
前記アタッチメント（１４）が前記車輪（１）に取り付けられ、前記車輪（１）が回転して前記接触部分（５０）を作動させ、特に圧力を加えたときに、前記支持機構（５２）は前記路面（Ｆ）を前記接触部分（５０）と接触させるように構成され、好ましくは、前記接触部分（５０）は、特に軸方向に見たときに、空間的に前記アタッチメント（１４）の前記トレッド面（１８）に配置され、好ましくは、展開状態の前記接触部分（５０）は、前記アタッチメント（１４）の前記トレッド面（１８）と同一平面で前記周方向（Ｕ）に延びる、請求項１１に記載のアタッチメント（１４）。
【請求項１３】
前記トレッド部（１６）が前記初期装着部（２０）に固定されたときに、または、前記初期装着部（２０）に固定された状態で前記初期装着部（２０）に向かって移動されるときに、前記支持機構（５２）は、前記車輪（１）、特に前記リム（２）または前記初期装着部（２０）を前記接触部分（５０）と接触させて、前記接触部分（５０）を作動させ、特に圧力を加えるように構成され、好ましくは、前記接触部分（５０）は前記リム（２）に面する前記アタッチメント（１４）の側に配置される、請求項１１に記載のアタッチメント（１４）。
【請求項１４】
前記軸方向（Ａ）に見たときに、前記支持手段（４０）の前記フック部分（４２）は半径方向内側に、好ましくは直線状または弓状に傾斜するように構成され、前記支持手段（４０）が作動され、前記支持手段（４０）が前記リム（２）、特に前記リムフランジ（１０）に向かって移動するときに、前記フック部分（４２）は、半径方向内側に移動する、特に変位するとともに、前記トレッド部（１６）は、前記フック部分（４２）の移動の結果として、前記リム（２）に向かって前記軸方向（Ａ）に付勢されるように、構成される、請求項１〜１３のいずれか一項に記載のアタッチメント（１４）。
【請求項１５】
前記アタッチメント（１４）は、支持手段ロック装置（２０４）を備え、前記支持手段ロック装置（２０４）は、固定位置（ＳＰ）に移動することができ、かつ、前記固定位置（ＳＰ）において、前記支持手段ロック装置が前記固定位置（ＳＰ）にある限り、前記フック部分（４２）が前記車輪（１）の前記リム（２）の前記部分（１０、１１）の後ろでの係合から外れて移動できないように、特に嵌合ロックによって前記支持手段（４０）をロックするように構成される、請求項１〜１４のいずれか一項に記載のアタッチメント（１４）。
【請求項１６】
前記支持手段ロック装置（２０４）は、前記支持手段ロック装置（２０４）が前記固定位置（ＳＰ）へ移動されるときに、前記支持手段（４０）の前記フック部分（４２）をさらに支持するように前記支持手段（４０）に対して配置され、かつ構成され、前記支持手段（４０）は、前記リム（２）の前記部分（１０、１１）を背にして、前記リム（２）の前記部分（１０、１１）の後ろで係合する、請求項１５に記載のアタッチメント。
【請求項１７】
アタッチメント（１４）と、車輪（１）のリム（２）と、を備えるシステムであって、
前記アタッチメント（１４）は、請求項１〜１６のいずれか１項に記載のように構成され、前記リム（２）は、ボルト円（４）の領域の前記リム（２）に配置された少なくとも１つの開口部（１３）、好ましくは、複数の開口部（１３）を備え、前記開口部（１３）は、ホイールボルトまたは控えボルトを受け入れるために設けられた穴（７）から、好ましくは前記リム（２）の中心開口部（６）からも離間して配置されている、システム。
【請求項１８】
複数の開口部（１３）が存在し、前記開口部（１３）の中間点（９９）は、円（１００）から離間して、好ましくは半径方向外側に離間して配置され、前記円（１００）は、前記ホイールボルトまたは控えボルトを受け入れるために設けられた穴（７）の中間点を通って延び、および／または、前記開口部（１３）の中間点（９９）は、前記ホイールボルトまたは控えボルトを受け入れるために設けられたすべての穴（７）を囲む最小の円を形成する円（１０２）から離間して、好ましくは半径方向内側に離間して配置されている、請求項１７に記載のシステム。
【国際調査報告】
2020536790.tif 000027
2020536790.tif 000028
2020536790.tif 000029
2020536790.tif 000030
2020536790.tif 000031